(57)【要約】【課題】本発明は、簡単な構成で、係合状態（ロック状態）と、解除可能状態（非ロック状態）とを設定できるロック装置の提供を目的とする。【解決手段】ロック装置は、トナーコンテナーの着脱時に開閉されるロックカバーと、ロックカバーが閉じた状態で、ロックカバーに係合する係合部と、定められた方向から係合部を引っ張って、係合部をロックカバーに係合させる引っ張り部材と、係合部を逆方向に移動させて、係合部のロックカバーとの係合状態を解除する移動部９６と、画像形成装置本体に２つの姿勢で取り付け可能とされ、一の姿勢で取り付けられた場合には移動部９６の逆方向への移動を制限して係合状態を維持させ、他の姿勢で取り付けられた場合には移動部９６の逆方向への移動を許容して係合状態を解除可能にさせる取り付け部材９８と、を備えている。【選択図】図７
2018105915.tif 000002
【特許請求の範囲】
【請求項１】
トナー像を現像する現像装置に補給されるトナーを収容するトナーコンテナーの画像形成装置本体への着脱時に開閉されるロックカバーと、
前記ロックカバーが閉じた状態で、前記ロックカバーに係合する係合部と、
定められた方向から前記係合部を引っ張って、前記係合部を前記ロックカバーに係合させる引っ張り部材と、
前記係合部を前記方向と逆方向に移動させて、前記係合部の前記ロックカバーとの係合状態を解除する移動部と、
前記画像形成装置本体に２つの姿勢で取り付け可能とされ、一の姿勢で取り付けられた場合には前記移動部の前記逆方向への移動を制限して前記係合状態を維持させ、他の姿勢で取り付けられた場合には前記移動部の前記逆方向への移動を許容して前記係合状態を解除可能にさせる取り付け部材と、
を備えたロック装置。
【請求項２】
前記移動部は、前記定められた方向に沿っている本体部と、前記本体部から前記定められた方向に交差する方向に突出し、前記係合部の前記定められた方向側の部分に当たる第１突出部と、前記本体部から前記交差する方向に突出している第２突出部とを有し、
前記取り付け部材は、板状とされ、一面側に突起が設けられ、
前記取り付け部材が前記一の姿勢で取り付けられた場合には前記突起が前記第２突出部に当たることで前記移動部の前記逆方向への移動が制限され、前記取り付け部材が前記他の姿勢で取り付けられた場合には前記移動部の前記逆方向への移動が許容されることで前記移動部の前記逆方向への移動に伴い前記第１突出部で前記係合部を前記逆方向に移動させて前記係合状態を解除可能にさせる、
請求項１に記載のロック装置。
【請求項３】
請求項１又は２に記載のロック装置と、
トナー像を現像する現像装置を含み、媒体にトナー像を形成する形成部と、
前記現像装置に補給されるトナーを収容するトナーコンテナーと、
媒体に形成されたトナー像を媒体に定着させる定着装置と、
を備えた画像形成装置。
【請求項４】
前記ロックカバーには磁石が固定されており、
前記画像形成装置本体には、前記ロックカバーの前側で開閉される外装カバーであって、磁性体が固定された外装カバーが設けられており、
前記係合状態が解除されている場合に前記外装カバーを開けると、前記磁石と前記磁性体との磁力により前記外装カバーの移動に伴い前記ロックカバーが移動して開く、
請求項３に記載の画像形成装置。
【発明の詳細な説明】
【技術分野】
【０００１】
本発明は、ロック装置及び画像形成装置に関する。
【背景技術】
【０００２】
例えば、現像剤受け入れ容器と、現像剤受け入れ開口と、被挿入部と、スライド式の装置開閉蓋と、ロック部材とを備えた現像剤受け入れ装置に着脱可能な現像剤補充容器が知られている（特許文献１参照）。上記の現像剤補充容器は、容器本体と、現像剤補充開口と、前記現像剤補充開口を開封可能に封止するための封止シートと、前記容器本体から延出した突出部であって、前記現像剤補充容器を前記現像剤受け入れ装置に装着する際に前記被挿入部に挿入される突出部と、前記容器本体の一側方側と他側方側とに設けられ、前記容器本体とは反対側に突出した突起であって、前記現像剤補充容器を前記現像剤受け入れ装置に装着する際に、前記現像剤受け入れ装置に設けられた前記ロック部材と係合して前記ロック部材を前記ロック解除位置へ移動させる突起と、を有する。すなわち、上記の現像剤補充容器のロック部材は、現像剤が漏れることを抑制するためのものである。
【先行技術文献】
【特許文献】
【０００３】
【特許文献１】特開平０９−１７１２９０号公報
【発明の概要】
【発明が解決しようとする課題】
【０００４】
上記の現像剤補充容器の場合、現像剤受け入れ装置に取り付けられた状態から容易に取り外すことができてしまう。そのため、上記の現像剤受け入れ装置の場合、現像剤の残量等との関係で交換時期でない場合に取り外されてしまう虞がある。すなわち、上記の現像剤補充容器の場合、取り外し不可能な状態（ロック状態）と、取り外し可能な状態（非ロック状態）とを設定することができない。
【０００５】
本発明は、簡単な構成で、係合状態（ロック状態）と、解除可能状態（非ロック状態）とを設定できるロック装置の提供を目的とする。
【課題を解決するための手段】
【０００６】
本発明の第１のロック装置は、トナー像を現像する現像装置に補給されるトナーを収容するトナーコンテナーの画像形成装置本体への着脱時に開閉されるロックカバーと、前記ロックカバーが閉じた状態で、前記ロックカバーに係合する係合部と、定められた方向から前記係合部を引っ張って、前記係合部を前記ロックカバーに係合させる引っ張り部材と、前記係合部を前記方向と逆方向に移動させて、前記係合部の前記ロックカバーとの係合状態を解除する移動部と、前記画像形成装置本体に２つの姿勢で取り付け可能とされ、一の姿勢で取り付けられた場合には前記移動部の前記逆方向への移動を制限して前記係合状態を維持させ、他の姿勢で取り付けられた場合には前記移動部の前記逆方向への移動を許容して前記係合状態を解除可能にさせる取り付け部材と、を備えている。
【０００７】
本発明の第２のロック装置は、さらに、前記移動部は、前記定められた方向に沿っている本体部と、前記本体部から前記定められた方向に交差する方向に突出し、前記係合部の前記定められた方向側の部分に当たる第１突出部と、前記本体部から前記交差する方向に突出している第２突出部とを有し、前記取り付け部材は、板状とされ、一面側に突起が設けられ、前記取り付け部材が前記一の姿勢で取り付けられた場合には前記突起が前記第２突出部に当たることで前記移動部の前記逆方向への移動が制限され、前記取り付け部材が前記他の姿勢で取り付けられた場合には前記移動部の前記逆方向への移動が許容されることで前記移動部の前記逆方向への移動に伴い前記第１突出部で前記係合部を前記逆方向に移動させて前記係合状態を解除可能にさせる。
【０００８】
本発明の第１の画像形成装置は、前記ロック装置と、トナー像を現像する現像装置を含み、媒体にトナー像を形成する形成部と、前記現像装置に補給されるトナーを収容するトナーコンテナーと、媒体に形成されたトナー像を媒体に定着させる定着装置と、を備えている。
【０００９】
本発明の第２の画像形成装置は、さらに、前記ロックカバーには磁石が固定されており、前記画像形成装置本体には、前記ロックカバーの前側で開閉される外装カバーであって、磁性体が固定された外装カバーが設けられており、前記係合状態が解除されている場合に前記外装カバーを開けると、前記磁石と前記磁性体との磁力により前記外装カバーの移動に伴い前記ロックカバーが移動して開く。
【発明の効果】
【００１０】
本発明のロック装置は、簡単な構成で、係合状態（ロック状態）と、解除可能状態（非ロック状態）とを設定できる。
【図面の簡単な説明】
【００１１】
【図１】本実施形態の画像形成装置の斜視図である。
【図２】本実施形態の画像形成装置を正面側から見た概略図である。
【図３】本実施形態の画像形成装置を構成する制御部と、画像形成装置を構成する各部との関係を示すブロック図である。
【図４】本実施形態の画像形成装置を構成するロック装置の周辺を示す図であって、外装カバーが開いて、ロックカバーが閉じている状態の斜視図である。
【図５】本実施形態のＫ色用のロック装置の図であって、ロックカバーが閉じている状態の斜視図である。
【図６】本実施形態のロック装置の図であって、ロック状態における、係合部及び移動部の周辺を示す斜視図である。
【図７】本実施形態のロック装置を構成する取り付け部材及びその周辺の図であって、第１の姿勢（ロック状態）での取り付け状態の斜視図である。
【図８】本実施形態のロック装置を構成する取り付け部材及びその周辺の図であって、第２の姿勢（非ロック状態）での取り付け状態の斜視図である。
【図９】本実施形態のロック装置を構成するロックカバー及びその周辺の図であって、ロックカバーが開いている状態での斜視図である。
【図１０】本実施形態の画像形成装置を構成する外装カバーの図であって、外装カバーが開いている状態での斜視図である。
【図１１】本実施形態の画像形成装置を構成する外装カバー及びロックカバーの図であって、外装カバー及びロックカバーが開いている状態での斜視図である。
【発明を実施するための形態】
【００１２】
≪概要≫
以下、本実施形態の画像形成装置１０（図１及び図２参照）の全体構成及び画像形成装置１０による動作、本実施形態の要部であるロック装置９０（図４〜図９参照）の構成及び動作並びに本実施形態の効果について、図面を参照しつつこれらの記載順で説明する。
【００１３】
以下の説明では、図中における矢印Ｆｒ及び矢印Ｒｒで示す方向をそれぞれ装置奥行き方向手前側及び奥側、矢印Ｒ及び矢印Ｌで示す方向をそれぞれ装置幅方向右側及び左側、矢印Ｕ及び矢印Ｌｏで示す方向をそれぞれ装置高さ方向上側及び下側とする。また、本明細書では、画像形成装置１０を装置奥行き方向手前側から見た状態を画像形成装置１０の正面として説明する。
【００１４】
≪画像形成装置の全体構成≫
画像形成装置１０は、図２に示されるように、給紙カセット２０と、トナー像形成部３０と、転写装置４０と、搬送装置５０と、定着装置６０と、トナーコンテナー７０と、トナー搬送部８０と、読取部８４と、パネル８６と、ロック装置９０と、制御部ＣＵと、を含んで構成される電子写真方式の装置とされている。
【００１５】
給紙カセット２０は、媒体Ｓを収容する機能を有する。給紙カセット２０は、装置高さ方向における、画像形成装置１０内の下側に配置されている。
【００１６】
トナー像形成部３０は、帯電、露光、現像の各工程を行って、後述するベルトＴＢが保持するトナー像を形成する機能を有する。トナー像形成部３０は、それぞれ異なる色（Ｙ（イエロー）、Ｃ（シアン）、Ｍ（マゼンタ）、Ｋ（ブラック））のトナー像を形成する単色ユニット３１Ｙ、３１Ｍ、３１Ｃ、３１Ｋで構成されている。各単色ユニット３１Ｙ、３１Ｍ、３１Ｃ、３１Ｋは、それぞれ、感光体３２（担持体の一例）と、帯電装置３４と、露光装置３６と、現像装置３８と、を備えている。現像装置３８は、トナー（図示省略）及びキャリア（図示省略）を含んで構成される現像剤を用いて、露光装置３６により感光体３２に形成された潜像を、トナー像として現像するようになっている。また、トナー像形成部３０は、装置高さ方向における、画像形成装置１０内の中央に配置されている。
【００１７】
転写装置４０は、無端状のベルトＴＢを有し、（図１における矢印Ｘ方向に）周回するベルトＴＢに、トナー像形成部３０により形成されたトナー像を１次転写させて、ベルトＴＢに保持されたトナー像を媒体Ｓに２次転写させる機能を有する。転写装置４０は、装置高さ方向における、画像形成装置１０内の中央であって、トナー像形成部３０の上側に配置されている。なお、転写装置４０は、トナー像形成部３０とで、媒体Ｓにトナー像を形成する機能を有するといえる。そこで、本明細書では、トナー像形成部３０と、転写装置４０との組み合わせを形成部３０Ａという。
【００１８】
搬送装置５０は、給紙カセット２０に収容されている媒体Ｓを搬送経路（図１中の二点鎖線Ｐ）に沿って搬送する機能を有する。なお、図１における矢印Ｙは、媒体Ｓの搬送方向を意味する。
【００１９】
定着装置６０は、転写装置４０により媒体Ｓに２次転写されたトナー像を媒体Ｓに定着させる機能を有する。定着装置６０は、装置高さ方向における、転写装置４０の上側、かつ、画像形成装置１０を正面側から見て右側に配置されている。
【００２０】
トナーコンテナー７０は、現像装置３８に補給されるトナーを収容する機能を有する。トナーコンテナー７０は、それぞれ異なる色のトナー（Ｙ（イエロー）、Ｃ（シアン）、Ｍ（マゼンタ）、Ｋ（ブラック））毎に設けられている。各トナーコンテナー７０は、内部に現像剤を収容している長尺状の容器とされ、これらの長手方向を装置奥行き方向に沿わせて、かつ、装置幅方向に沿って並べられた状態で、転写装置４０の上側に配置されている。また、各トナーコンテナー７０は、一例として、画像形成装置１０の本体に着脱可能とされている。すなわち、各トナーコンテナー７０は、画像形成装置１０における交換部品とされている。トナー搬送部８０は、各トナーコンテナー７０内のトナーを現像装置３８に搬送する機能を有する。
【００２１】
読取部８４は、画像が形成されている媒体Ｓの画像を読み取って、画像データにする機能を有する。読取部８４は、図１及び図２に示されるように、定着装置６０よりも上側に配置されている。
【００２２】
パネル８６は、いわゆるタッチパネルとされ、ユーザーが画像形成装置１０を操作する際に、画像形成条件等を入力するためのユーザーインターフェイスとされている。
【００２３】
ロック装置９０は、各トナーコンテナー７０を画像形成装置本体から取り外し可能な状態（非ロック状態）と、取り外し不可能な状態（ロック状態）とにする機能を有する。ロック装置９０については、後述する。
【００２４】
制御部ＣＵは、画像形成装置１０を構成する各部の動作を制御する機能を有する（後述する図３参照）。制御部ＣＵの機能については、後述する画像形成装置１０による動作及びロック装置９０による動作の説明の中で説明する。
【００２５】
なお、画像形成装置１０の正面側には、正面側に倒れて開く外装カバーＣＳが設けられている（図１及び図４参照）。外装カバーＣＳは、トナーコンテナー７０を画像形成装置本体に着脱する際に、開閉される蓋とされている。そして、図１０に示されるように、外装カバーＣＳにおける裏面には、装置幅方向に亘る範囲に長尺状の板金ＭＰが固定されている。ここで、板金ＭＰは、一例として磁性体とされている。
【００２６】
≪画像形成動作≫
次に、本実施形態の画像形成装置１０による画像形成動作について図２を参照しながら説明する。
【００２７】
読取部８４から画像データを受け取った制御部ＣＵは、画像形成装置１０の各部を作動させる。
【００２８】
トナー像形成部３０が作動されると、各単色ユニット３１Ｙ、３１Ｃ、３１Ｍ、３１Ｋでは、帯電装置３４が感光体３２を帯電し、露光装置３６が感光体３２を露光し、現像装置３８が感光体３２の潜像をトナー像として現像する。その結果、各感光体３２にトナー像が形成される。
【００２９】
次いで、転写装置４０及び搬送装置５０が作動されると、トナー像形成部３０により形成されたトナー像がベルトＴＢに１次転写される。また、ベルトＴＢに１次転写されたトナー像が２次転写されるタイミングに合わせて、搬送装置５０により給紙カセット２０に収容されている媒体Ｓが搬送されて、ベルトＴＢに保持されたトナー像が媒体Ｓに２次転写される。トナー像が２次転写された媒体Ｓは、搬送装置５０により定着装置６０に向けて搬送される。
【００３０】
次いで、定着装置６０が作動され、トナー像が２次転写された媒体Ｓが定着装置６０に搬送されると、媒体Ｓに２次転写されたトナー像が媒体Ｓに定着される（媒体Ｓに画像が形成される）。
【００３１】
そして、トナー像が定着された媒体Ｓ（画像が形成された媒体Ｓ）は、搬送装置５０により画像形成装置１０の外に排出されて、画像形成動作が終了する。
【００３２】
≪要部（ロック装置）の構成≫
次に、本実施形態の要部であるロック装置９０の構成について図４〜図９を参照しながら詳しく説明する。
【００３３】
ロック装置９０は、ロックカバー９２Ｙ、９２Ｃ、９２Ｍ、９２Ｋ（図４等参照）と、係合部９４Ｙ、９４Ｃ、９４Ｍ、９４Ｋ（図６参照）と、引っ張りばねＳＲ（引っ張り部材の一例、図６参照）と、レバー９６（移動部の一例、図６〜図８参照）と、取り付け板９８（図４、図７及び図８参照）と、ソレノイド９９（図６参照）を含んで構成されている。
【００３４】
＜ロックカバー＞
ロックカバー９２Ｙ、９２Ｃ、９２Ｍ、９２Ｋは、図４に示されるように、各トナーコンテナー７０に対応して設けられている。ロックカバー９２Ｙ、９２Ｃ、９２Ｍ、９２Ｋは、各トナーコンテナー７０の画像形成装置本体への着脱時に開閉される（画像形成装置１０の正面側に倒れて開く）蓋とされている。本実施形態では、ロックカバー９２Ｙ、９２Ｃ、９２Ｍは同じ形状、同じ大きさとされており、ロックカバー９２Ｋはロックカバー９２Ｙ、９２Ｃ、９２Ｍよりも装置幅方向に広い形状とされている。これは、各トナーコンテナー７０の形状に起因している。以下、特にロックカバー９２Ｙ、９２Ｃ、９２Ｍ、９２Ｋを区別する必要がない場合には、ロックカバー９２として説明する。
【００３５】
ロックカバー９２の背面（正面側から見て裏面）には、図９及び図１１に示されるように、磁石ＭＧが固定されている。そして、ロックカバー９２が外装カバーＣＳとともに倒れて開いている状態及び閉じている状態において、磁石ＭＧは、ロックカバー９２を挟んで外装カバーＣＳの板金ＭＰと対面する位置に配置されるようになっている。なお、図１１の状態において、磁石ＭＧは、板金ＭＰを磁力により引付けている。
【００３６】
ロックカバー９２には、ロックカバー９２が閉じた状態（図４参照）において、後述する係合部９４Ｙ、９４Ｃ、９４Ｍ、９４Ｋ（図６参照）と係合する被係合部９２Ａ（図９及び図１１参照）が形成されている。なお、ロックカバー９２Ｋの被係合部９２Ａのみが２個、他のロックカバー９２の被係合部９２Ａは１個とされている。また、本実施形態の被係合部９２Ａは、一例として、フック状の部材とされている。
【００３７】
なお、ロックカバー９２の開閉の支点となる画像形成装置本体との連結部分には、図９に示されるように、ねじりコイルばね９２Ｂが配置されている。そして、ロックカバー９２は、開ける際に、ねじりコイルばね９２Ｂから押されて開き易く構成されている。
【００３８】
＜係合部＞
係合部９４Ｙ、９４Ｃ、９４Ｍ、９４Ｋは、各ロックカバー９２が閉じた状態（図４参照）で、各ロックカバー９２の被係合部９２Ａに係合する機能を有する。すなわち、係合部９４Ｙ、９４Ｃ、９４Ｍ、９４Ｋは、被係合部９２Ａに対応して設けられている。そのため、係合部９４Ｋのみが２個（図６参照）、係合部９４Ｙ、９４Ｃ、９４Ｍは１個とされている。以下、特に係合部９４Ｙ、９４Ｃ、９４Ｍ、９４Ｋを区別する必要がない場合には、係合部９４として説明する。なお、本実施形態の係合部９４は、一例として、被係合部に引っ掛かるフック状の部材とされている。各係合部９４は、図６に示されるように、各トナーコンテナー７０の上側における画像形成装置本体の一部に取り付けられている。また、各係合部９４と、対応する被係合部９２Ａとは、装置幅方向に向く爪を引っ掛け合うことで係合するようになっている。
【００３９】
＜引っ張りばね＞
引っ張りばねＳＲは、各係合部９４を装置幅方向左側（定められた方向の一例）から引っ張る機能を有する（図６参照）。各引っ張りばねＳＲは、各トナーコンテナー７０の上側における画像形成装置本体の一部と、各係合部９４とに、引っ掛けられている（図６参照）。そして、各引っ張りばねＳＲが各係合部９４を装置幅方向左側に引っ張っている状態では、各引っ張りばねＳＲは、各係合部９４を各ロックカバー９２の被係合部９２Ａに係合させるようになっている。
【００４０】
＜レバー＞
レバー９６は、各係合部９４を装置幅方向右側に移動させて、各係合部９４と各ロックカバー９２の被係合部９２Ａとの係合状態（係合している状態）を解除する機能を有する。
【００４１】
レバー９６は、図６に示されるように、本体部９６Ａと、複数の第１突出部９６Ｂと、第２突出部９６Ｃとを有している。本体部９６Ａは、装置幅方向に沿っている部分とされている。第１突出部９６Ｂは、本体部９６Ａから装置幅方向に交差する方向に突出し、装置幅方向右側への移動に伴い各係合部９４の装置幅方向左側の部分に当たる部分とされている。すなわち、第１突出部９６Ｂは、各係合部９４に対応して複数設けられている。第２突出部９６Ｃは、本体部９６Ａから装置幅方向に交差する方向に突出している部分とされている。レバー９６は、一例として、１本の針金を曲げ加工して、本体部９６Ａと、複数の第１突出部９６Ｂと、第２突出部９６Ｃとを形成した部材とされている。すなわち、本実施形態のレバー９６は、一体的に形成されている（図６参照）。なお、レバー９６は、各トナーコンテナー７０の上側における画像形成装置本体の部分に、装置幅方向の定められた範囲に移動可能に支持されている（図６参照）。
【００４２】
各第１突出部９６Ｂは、装置幅方向において、対向する各係合部９４を跨ぐように配置されている（図６参照）。そして、各第１突出部９６Ｂは、レバー９６を装置幅方向右側に移動させることに伴い、各係合部９４の装置幅方向左側の部分に当たって各係合部９４を押すことで、引っ張りばねＳＲにより装置幅方向左側に引っ張られている各係合部９４を装置幅方向右側に移動させるようになっている。その結果、各係合部９４と各被係合部９２Ａとの係合状態が解除されるようになっている。第２突出部９６Ｃは、Ｋ色用の２つの係合部９４の間に配置されている（図６参照）。
【００４３】
＜取り付け板＞
取り付け板９８は、図５、図７及び図８に示されるように、矩形状の板状の部材とされ、画像形成装置本体に２つの姿勢で取り付け可能とされている。具体的には、取り付け板９８は、図７及び図８に示されるように、レバー９６の第２突出部９６Ｃの上側における画像形成装置本体の部分であって、装置高さ方向から見て、第２突出部９６Ｃの全体に重なる位置に取り付けられるようになっている。そして、取り付け部材９８は、２つの姿勢のうち一の姿勢で取り付けられた場合にはレバー９６の装置幅方向右側への移動を制限して各係合部９４と各被係合部９２Ａとの係合状態を維持させ、他の姿勢で取り付けられた場合にはレバー９６の装置幅方向右側への移動を許容して（制限することなく）各係合部９４と各被係合部９２Ａとの係合状態を解除可能にする機能を有する。
【００４４】
ここで、前述のとおり、取り付け板９８は２つの姿勢で画像形成装置本体に取り付け可能とされているが、図７は、第１の姿勢（一の姿勢の一例）で取り付け板９８を画像形成装置本体に取り付ける際の状態（組み立て状態）を示している。これに対して、図８は、第２の姿勢（他の姿勢の一例）で取り付け板９８を画像形成装置本体に取り付ける際の状態（組み立て状態）を示している。
【００４５】
取り付け板９８は、図７に示されるように、一面側に突起９８Ａが形成されている。突起９８Ａは、第２突出部９６Ｃにおける装置幅方向右側の端に当たる位置に形成されている。そのため、突起９８Ａは、レバー９６の装置幅方向右側への移動を制限するようになっている。なお、実際には、レバー９６は、装置幅方向右側へ若干移動可能とされているが、その移動幅（移動量）では、各係合部９４と各被係合部９２Ａとの係合状態を解除できない程度に設定されている。
【００４６】
なお、取り付け板９８は、図８に示されるように、第２の姿勢で画像形成装置本体に取り付けられる場合、レバー９６は、装置幅方向右側に移動しても当たる部材がない。そのため、レバー９６は、装置幅方向右側への移動が許容されることでレバー９６の装置幅方向右側への移動に伴い各第１突出部９８Ｂで各係合部９４を押して各係合部９４を装置幅方向右側に移動させるようになっている。その結果、各係合部９４と各被係合部９２Ａとの係合状態を解除させるようになっている。
【００４７】
＜ソレノイド＞
ソレノイド９９は、トナーコンテナー７０の上側における画像形成装置本体に取り付けられている（図６参照）。ソレノイド９９は、係合部９４に連結されて、係合部９４を定められた移動量で移動させる機能を有する。この場合、ソレノイド９９は、制御部ＣＵにより制御されるようになっている。
【００４８】
ソレノイド９９は、その可動部の先端が係合部９４に取り付けられている。取り付け板９８が第１の姿勢で取り付けられている場合であっても、何れかのトナーコンテナー７０内のトナーが空になると（交換時期になると）その旨がパネル８６に表示される。そして、ユーザーがパネル８６に表示されている内容に対応した操作（空になったトナーコンテナー７０を交換するための操作）をパネル８６に対して行うと、制御部ＣＵからの指示でソレノイド９９に通電されて可動部が吸引され、係合部９４が回転中心（図６中の符号Ｏ）の周りを回転することで、係合部９４と被係合部９２Ａの係合が解除される。そして、ユーザーが外装カバーＣＳを開放すると空になったトナーコンテナー７０に対応するロックカバー９２が一緒に開く。
【００４９】
≪ロック装置の動作≫
次に、ロック装置９０による動作について図面を参照しながら説明する。以下、取り付け板９８を画像形成装置本体に第１の姿勢で取り付ける場合と、第２の姿勢で取り付ける場合とに分けて説明する。
【００５０】
＜第１の姿勢で取り付けられている場合＞
この場合、各トナーコンテナー７０は、画像形成装置１０の設置時までに、作業者（ユーザーでない者）により、画像形成装置本体に取り付けられる。その際、作業者は、各トナーコンテナー７０を画像形成装置本体に取り付けた後に、取り付け板９８を第１の姿勢（図７参照）で画像形成装置本体に取り付ける。そうすると、レバー９６は、取り付け板９８の突起９８Ａにより装置幅方向右側への移動が制限される。次いで、作業者は、各ロックカバー９２を閉じる。そうすると、各ロックカバー９２の被係合部９２Ａは、対応する各係合部９４に係合される。次いで、作業者は、外装カバーＣＳを閉じる。以上のようにして、画像形成装置本体に各トナーコンテナー７０を取り付けると、ユーザーはロック装置９０によりロック状態とされている各ロックカバー９２を開けることができなくなる。すなわち、ユーザーは各トナーコンテナー７０を画像形成装置本体から取り外すことができなくなる。
【００５１】
＜第２の姿勢で取り付ける場合＞
この場合、作業者は、画像形成装置１０の設置時までに、取り付け板９８を第２の姿勢（図８参照）で画像形成装置本体に取り付けられる。そうすると、レバー９６は、取り付け板９８の突起９８Ａにより装置幅方向右側への移動が制限されることなく、移動可能な状態とされる。次いで、各トナーコンテナー７０は、作業者又はユーザーにより、画像形成装置本体に取り付けられる。次いで、作業者又はユーザーは、各ロックカバー９２を閉じる。そうすると、各ロックカバー９２の被係合部９２Ａは、対応する各係合部９４に係合される。次いで、作業者又はユーザーは、外装カバーＣＳを閉じる。以上のようにして、画像形成装置本体に各トナーコンテナー７０を取り付けると、ユーザーは、例えば、パネル８６を操作して、ロック装置９０により非ロック状態とされている各ロックカバー９２の各被係合部９２Ａと対応する各係合部９４との係合状態を解除することができる。その結果、ユーザーは、外装カバーＣＳ及び各ロックカバー９２を開けて、各トナーコンテナー７０を画像形成装置本体から取り外すことができる。
【００５２】
≪効果≫
次に、本実施形態の効果について図面を参照しながら説明する。
【００５３】
＜第１の効果＞
前述の説明のとおり、取り付け板９８が第１の姿勢で画像形成装置本体に取り付けられている場合、ユーザーは各トナーコンテナー７０を画像形成装置本体から取り外すことができない。そのため、例えば、各トナーコンテナー７０のトナー残量が交換不要であるタイミングに、ユーザーにより無駄に交換されることを防ぐことができる。一方で、取り付け板９８が第２の姿勢で画像形成装置本体に取り付けられている場合、ユーザーは、例えば、パネル８６を操作して、各トナーコンテナー７０を画像形成装置本体から容易に取り外すことができる。そして、本実施形態のロック装置９０は、以上のような２つの相反する機能を、取り付け板９８の構成、取り付け板９８の取り付け姿勢、レバー９６等の簡単な構成により設定している。
【００５４】
したがって、本実施形態のロック装置９０は、簡単な構成で、係合状態（ロック状態）と、解除可能状態（非ロック状態）とを設定できる。これに伴い、本実施形態の画像形成装置１０は、例えば、不要なタイミングでトナーコンテナー７０が交換されることに伴う画像形成におけるランニングコストの上昇が抑制される。
【００５５】
＜第２の効果＞
前述のとおり、本実施形態の場合、各ロックカバー９２の背面（正面側から見て裏面）には、図９及び図１１に示されるように、磁石ＭＧが固定されている。そして、ロックカバー９２が外装カバーＣＳとともに倒れて開いている状態及び閉じている状態において、磁石ＭＧは、ロックカバー９２を挟んで外装カバーＣＳの板金ＭＰに対応する位置に配置されるようになっている。
【００５６】
したがって、本実施形態の場合、各ロックカバー９２の被係合部９２Ａが各係合部９４と係合していない状態で、外装カバーＣＳを開くと、磁力により各ロックカバー９２も外装カバーＣＳとともに開く。
【００５７】
以上のとおり、本発明について本実施形態を例として説明したが、本発明の技術的範囲は本実施形態に限定されるものではない。本発明の技術的範囲には、下記のような形態も含まれる。
【符号の説明】
【００５８】
１０          画像形成装置
３０Ａ        形成部
３８          現像装置
６０          定着装置
７０          トナーコンテナー
９０          ロック装置
９２          ロックカバー
９４          係合部
９６          レバー（移動部の一例）
９６Ａ        本体部
９６Ｂ        第１突出部
９６Ｃ        第２突出部
９８          取り付け板（取り付け部材の一例）
９８Ａ        突起
ＣＳ          外装カバー
ＳＲ          引っ張りばね（引っ張り部材の一例）
ＭＧ          磁石
ＭＰ          板金（磁性体の一例）
Ｓ            媒体
【図１】
2018105915.tif 000003
【図２】
2018105915.tif 000004
【図３】
2018105915.tif 000005
【図４】
2018105915.tif 000006
【図５】
2018105915.tif 000007
【図６】
2018105915.tif 000008
【図７】
2018105915.tif 000009
【図８】
2018105915.tif 000010
【図９】
2018105915.tif 000011
【図１０】
2018105915.tif 000012
【図１１】
2018105915.tif 000013